(57)【要約】【課題】撮像装置の伝送路に伝送するＨＤ−ＳＤＩのフォーマット設定やエラーの情報確認が可能とする事を目的とする。【課題を解決するための手段】本発明は、上記課題を解決するため、撮像部（カメラヘッド）と伝送路（光ケーブルまたはトライアックスケーブル）と制御部（カメラコントロールユニット）とからなる撮像装置において、前記制御部のシリアルデジタルインターフェース出力を前記制御部の映像入力に接続することにより、前記制御部のシリアルデジタルインターフェース出力のフォーマットの設定やエラー検出を行なう。【選択図】図１
2012182712.tif 000002
【特許請求の範囲】
【請求項１】
撮像部と伝送路と制御部とからなる撮像装置において、前記制御部のシリアルデジタルインターフェース出力を前記制御部の映像入力に接続することにより、前記制御部のシリアルデジタルインターフェース出力のフォーマットの設定やエラー検出を行なうことを特徴とする撮像装置。
【発明の詳細な説明】
【技術分野】
【０００１】
本発明は、撮像部と伝送路と制御部とからなる撮像装置に関するものである。
【背景技術】
【０００２】
従来、テレビジョンカメラシステムでは撮像部（カメラヘッド）と接続された制御部（Camera  Control  Unit：以下CCU）との間で本線映像信号，送り返し映像信号，音声信号，コントロール用シリアルデータ信号，及び電源の送受信の時分割双方向伝送を３重同軸（トライアックス）ケーブル１本の伝送路で行う方法をデジタルトライアックスシステムと称する（特許文献１）。
【０００３】
有効走査線７２０本と有効走査線１０８０本のHigh  Definition  Tele-Vision（以下ＨＤＴＶ）では、High  Definition  Serial  Digital  Interface（以下ＨＤ−ＳＤＩ）の本線映像信号，送り返し映像信号，音声信号，コントロール用シリアルデータ信号の送受信伝送と電源供給とを光ケーブルで用いる方が一般であるが、トライアックスケーブルを施設に敷設してある場合は、デジタルトライアックスシステムを用いる。
【０００４】
従来の一実施例の概要を図１で説明する。
カメラヘッド１０１とカメラコントロールユニット１０３を光ケーブル１０２で接続したテレビジョンカメラシステムでは、カメラコントロールユニット１０３からカメラヘッド１０１へリターン映像とゲンロック信号を送信して、同期したＨＤ−ＳＤＩの映像信号をカメラヘッド１０１からカメラコントロールユニット１０３へ送信して、モニタ１０４に確認映像出力（以下ＭＯＮ出力）を出力している。
【０００５】
通常カメラシステムから出力しているＳＤＩ出力信号については外部の波形モニタ等により、Timing  Reference  Sequences（以下ＴＲＳ）エラー、ＬＩＮＥエラー、走査線１ライン毎に輝度信号と色差信号の各々について巡回冗長検査（Cyclic  Redundancy  Check：以下ＣＲＣ）符号を割り当て、送信側で計算したＣＲＣ結果と、受信側で再計算したＣＲＣ結果が一致しているかどうか等の監視を行なうが、カメラコントロールユニットに対して波形モニタの数が不足する場合、エラー等のログ監視を行なうことが出来ない場合が発生する。
【先行技術文献】
【特許文献】
【０００６】
【特許文献１】特開平７−２０３３９９号公報
【発明の概要】
【発明が解決しようとする課題】
【０００７】
撮像装置の伝送路（光ファイバー）に伝送するＨＤ−ＳＤＩのフォーマット設定やエラーの情報確認が可能とする事を目的とする。
【課題を解決するための手段】
【０００８】
本発明は、上記課題を解決するため、撮像部（カメラヘッド）と伝送路（光ケーブルまたはトライアックスケーブル）と制御部（カメラコントロールユニット）とからなる撮像装置において、前記制御部のシリアルデジタルインターフェース出力を前記制御部の映像入力に接続することにより、前記制御部のシリアルデジタルインターフェース出力のフォーマットの設定やエラー検出を行なうことを特徴とする撮像装置である。
【発明の効果】
【０００９】
本発明によれば、撮像装置の伝送路（光ケーブルまたはトライアックスケーブル）に伝送するＨＤ−ＳＤＩのフォーマット設定やエラーの情報確認が可能となる。
【図面の簡単な説明】
【００１０】
【図１】カメラシステムの概要を示すブロック図
【図２】カメラコントロールユニット内部ブロック図
【図３】エラーカウンタ内部ブロック図
【図４】メニューの模式図
【図５】モニター１台による複数のカメラシステムのＳＤＩ出力チェック構成のブロック図
【発明を実施するための形態】
【実施例１】
【００１１】
本発明の実施例１を図１から図４を用いて説明する。
図１にてカメラシステムの概要を示す。カメラコントロールユニット１０３の出力をリターン入力１０５のように接続し、入力されたＳＤＩフォーマットの設定やエラーについて監視を行ない、設定変更時やエラー発生時に時刻と共にその情報を記録する。記録した情報はモニタ１０４へ表示する他、ＳＤカードへデータを吸い上げてメンテナンスのための情報として出力する。
【００１２】
図２にはカメラコントロールユニットの詳細ブロック図を示す。カメラからの映像信号はＳＤＩフォーマッタ１０６を経てドライバー１０７からＳＤＩ信号が出力される。その出力されたＳＤＩ信号をＢＮＣケーブルにてリターン入力１０５へ入力し、イコライザー１０８後のＳＤＩデフォーマッタ１０９にて検出された、ＴＲＳエラー、ＬＩＮＥエラー、再計算ＣＲＣ結果の一致確認等の各種エラーはエラーカウンター１１０にてカウントアップされ、ＣＰＵ１１１へ入力される。
【００１３】
ＣＰＵ１１１では、各種エラーの状態やエラーをカウントした情報をエラー発生した時間情報と共にＰＩＸ出力のメニューに表示するため、キャラクタジェネレータ１１２へキャラクタ制御信号を送付する。キャラクタはＰＩＸ出力するため、キャラクタＭＩＸ回路１１３にて映像信号に多重され、ドライバ１１５からモニタ１０４へＳＤＩ映像信号が出力される。エラーカウンタ１１０では図３に示すようにＴＲＳ／ＬＩＮＥ／ＣＲＣエラーのフラグの立上がりをエッヂ検出１１７にてワンパルス生成し、カウンタ１２０でエラー発生回数をカウントアップさせてレジスタ１２３へカウント値を格納する。ＣＰＵ１１１ではフレーム周期毎にレジスタ１２３のエラー情報を格納しているアドレスにアクセスし、図４のエラーメニューを表示するキャラクタのエラーデータ及び発生時刻を更新する。
【実施例２】
【００１４】
本発明の実施例２を図５を用いて説明する。本発明の実施例２が本発明の実施例１と異なる点のみを説明する。
本発明の実施例２は自身の装置のステータスエラー監視のみでなく、図５に示すようにカメラシステム１２５からカメラシステム１２６と複数のシステムの監視を行なうことが可能な装置を提供する。
【符号の説明】
【００１５】
１０１：カメラヘッド（撮像部）、１０２：光ケーブル（伝送路）、
１０３：カメラコントロールユニット（制御部）、１０４：モニタ、
１０５：リターン入力、１０６：本線映像ＳＤＩフォーマッタ、
１０７：本線映像ＳＤＩドライバ、１０８：リターンＳＤＩイコライザ、
１０９：リターンＳＤＩデフォーマッタ、１１０：エラーカウンタ、
１１１：ＣＰＵ、１１２：キャラクタジェネレータ、
１１３：キャラクタＭＩＸ回路、１１４：ＰＩＸ映像ＳＤＩフォーマッタ、
１１５：ＰＩＸ映像ＳＤＩドライバ、１１６：別機制御装置、
１１７〜１１９：TRSエラーEDGE検出回路、
１２０〜１２２：TRSエラーカウンタ、１２３：レジスタ
【図１】
2012182712.tif 000003
【図２】
2012182712.tif 000004
【図３】
2012182712.tif 000005
【図４】
2012182712.tif 000006
【図５】
2012182712.tif 000007